(57)【特許請求の範囲】
【請求項１】
ユーザ機器（ＵＥ）のワイヤレス通信の方法であって、
基地局から第１の情報を、第１のネットワークを介して、受信することと、
前記第１の情報に基づいて、第２のネットワークを介して接続ポイントから送信された信号を受信するためのリソースの位置を決定すること、前記第２のネットワークは、前記第１のネットワークより高い周波数を有する、と、
前記リソースに基づいて、少なくとも１つのビーム受信方向を介して前記信号を検出することと、
前記信号に基づいて、前記接続ポイントのビーム送信方向と前記ＵＥのビーム受信方向とを決定することと、
前記接続ポイントの前記ビーム送信方向に基づいて、前記接続ポイントのビーム受信方向を識別することと、
前記接続ポイントの前記ビーム受信方向に基づいて、前記接続ポイントに第２の情報を与えること、前記第２の情報は、
前記接続ポイントとのミリメートル波（ｍｍＷ）リンクを確立するという意図、
前記ＵＥの前記ビーム受信方向、または
前記接続ポイントの前記ビーム送信方向
のうちの少なくとも１つを備える、と
を備え、前記第１の情報は、
前記接続ポイントの前記ビーム送信方向と前記ビーム受信方向との順序に関係する情報、または
送信および受信についての前記接続ポイントの能力に関係する情報
を備える、方法。
【請求項２】
前記第２の情報に基づいて、前記接続ポイントとの前記ｍｍＷリンクを確立することと、
前記確立されたｍｍＷリンク上で前記接続ポイントとデータを通信することと
をさらに備える、請求項１に記載の方法。
【請求項３】
前記基地局からの前記第１の情報は、低周波数チャネルを介して受信され、
前記信号は、高周波数チャネルを介して前記接続ポイントから送信される、
請求項１に記載の方法。
【請求項４】
前記第１の情報は、前記高周波数チャネルを介して前記接続ポイントから前記信号を受信するためのタイミング情報を備える、
請求項３に記載の方法。
【請求項５】
前記タイミング情報は、ロングタームエボリューション（ＬＴＥ）システムタイミングに対するオフセットを備える、
請求項４に記載の方法。
【請求項６】
前記第２の情報は、低周波数チャネルまたは高周波数チャネルのうちの少なくとも１つを介して前記接続ポイントに与えられ、
前記第１の情報は、前記低周波数チャネルを介して前記接続ポイントに前記第２の情報を与えるための周波数情報を備える、
請求項１に記載の方法。
【請求項７】
接続ポイントのワイヤレス通信の方法であって、
基地局から第１の情報を、第１のネットワークを介して、受信することと、
前記第１の情報に基づいて、第２のネットワークを介して信号を送信するためのリソースの位置を決定すること、前記第２のネットワークは、前記第１のネットワークより高い周波数を有する、と、
前記リソースに基づいて、少なくとも１つのビーム送信方向を介して前記信号を送信することと、
前記信号に応答してユーザ機器（ＵＥ）から第２の情報を受信すること、前記第２の情報は、
前記接続ポイントとのミリメートル波（ｍｍＷ）リンクを確立するという前記ＵＥの意図、
前記ＵＥのビーム受信方向、または
前記ＵＥによって決定された前記接続ポイントのビーム送信方向
のうちの少なくとも１つを備える、と
を備え、前記第１の情報は、
前記接続ポイントの前記ビーム送信方向と前記ビーム受信方向との順序に関係する情報、または
送信および受信についての前記接続ポイントの能力に関係する情報
を備える、方法。
【請求項８】
前記第２の情報に基づいて、前記ＵＥとの前記ｍｍＷリンクを確立することと、
前記確立されたｍｍＷリンク上で前記ＵＥとデータを通信することと
をさらに備える、請求項７に記載の方法。
【請求項９】
前記信号は、
低周波数チャネルを介して前記接続ポイントと通信するためのタイミング情報と、
高周波数チャネルを介して前記接続ポイントと通信するためのタイミング情報と
を備える、請求項１または７に記載の方法。
【請求項１０】
前記第２の情報は、前記信号のビーム送信方向に基づく方向に沿って前記ＵＥから受信される、
請求項７に記載の方法。
【請求項１１】
前記第２の情報は、
リンク品質を示すビーム応答、または
ＵＥ能力情報
のうちの少なくとも１つをさらに備える、請求項１または７に記載の方法。
【請求項１２】
ワイヤレス通信のためのユーザ機器（ＵＥ）であって、
基地局から第１の情報を、第１のネットワークを介して、受信するための手段と、
前記第１の情報に基づいて、第２のネットワークを介して接続ポイントから送信された信号を受信するためのリソースの位置を決定するための手段、前記第２のネットワークは、前記第１のネットワークより高い周波数を有する、と、
前記リソースに基づいて、少なくとも１つのビーム受信方向を介して前記信号を検出するための手段と、
前記信号に基づいて、前記接続ポイントのビーム送信方向と前記ＵＥのビーム受信方向とを決定するための手段と、
前記接続ポイントの前記ビーム送信方向に基づいて、前記接続ポイントのビーム受信方向を識別するための手段と、
前記接続ポイントの前記ビーム受信方向に基づいて、前記接続ポイントに第２の情報を与えるための手段、前記第２の情報は、
前記接続ポイントとのミリメートル波（ｍｍＷ）リンクを確立するという意図、
前記ＵＥの前記ビーム受信方向、
前記接続ポイントの前記ビーム送信方向、
リンク品質を示すビーム応答、または
送信または受信についての前記ＵＥの能力に関係する情報
のうちの少なくとも１つを備える、と、
前記第２の情報に基づいて、前記接続ポイントとの前記ｍｍＷリンクを確立するための手段と、
前記確立されたｍｍＷリンク上で前記接続ポイントとデータを通信するための手段と
を備え、前記第１の情報は、
前記接続ポイントの前記ビーム送信方向と前記ビーム受信方向との順序に関係する情報、または
送信および受信についての前記接続ポイントの能力に関係する情報
を備える、ＵＥ。
【請求項１３】
ワイヤレス通信のための接続ポイントであって、
基地局から第１の情報を、第１のネットワークを介して、受信するための手段と、
前記第１の情報に基づいて、第２のネットワークを介して信号を送信するためのリソースの位置を決定するための手段、前記第２のネットワークは、前記第１のネットワークより高い周波数を有する、と、
前記リソースに基づいて、少なくとも１つのビーム送信方向を介して前記信号を送信するための手段と、
前記信号に応答してユーザ機器（ＵＥ）から第２の情報を受信するための手段、前記第２の情報は、
前記接続ポイントとのミリメートル波（ｍｍＷ）リンクを確立するという前記ＵＥの意図、
前記ＵＥのビーム受信方向、
前記ＵＥによって決定された前記接続ポイントのビーム送信方向、
リンク品質を示すビーム応答、または
送信または受信についての前記ＵＥの能力に関係する情報
のうちの少なくとも１つを備える、と、
前記第２の情報に基づいて、前記ＵＥとの前記ｍｍＷリンクを確立するための手段と、
前記確立されたｍｍＷリンク上で前記ＵＥとデータを通信するための手段と
を備え、前記第１の情報は、
前記接続ポイントの前記ビーム送信方向と前記ビーム受信方向との順序に関係する情報、または
送信および受信についての前記接続ポイントの能力に関係する情報
を備える、接続ポイント。
【請求項１４】
少なくとも１つのプロセッサによって実行されると、前記少なくとも１つのプロセッサに、請求項１乃至１１のうちのいずれか１項に記載の方法を実行させるコンピュータ実行可能命令を備える、コンピュータ可読媒体。
【発明の詳細な説明】
【関連出願の相互参照】
【０００１】
[0001]本出願は、その全体が参照により本明細書に明確に組み込まれる、２０１４年５月８日に出願された「COOPERATIVE TECHNIQUES BETWEEN LOWER-FREQUENCY CARRIERS AND MILLIMETER-WAVE CHANNELS FOR DISCOVERY AND SYNCHRONIZATION AND BEAMFORMING」と題する米国特許出願第１４／２７３，４２１号の利益を主張する。
【技術分野】
【０００２】
[0002]本開示は、一般に通信システムに関し、より詳細には、デバイス間の発見、同期、およびビームフォーミングを向上させるための、より低い周波数システムとミリメートル波（ｍｍＷ：millimeter-wave）システムとの間の協働に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、基地局から第１の情報を受信し、第１の情報に基づいて、接続ポイントから送信された信号を受信するためのリソースの位置を決定し、リソースに基づいて、少なくとも１つのビーム受信方向を介して信号を検出し、信号に基づいて、接続ポイントのビーム送信方向と本装置のビーム受信方向とを決定し、接続ポイントのビーム送信方向に基づいて、接続ポイントのビーム受信方向を識別し、接続ポイントのビーム受信方向に基づいて、接続ポイントに第２の情報を与え、第２の情報は、接続ポイントとのミリメートル波（ｍｍＷ）リンクを確立するという意図、本装置のビーム受信方向、または接続ポイントのビーム送信方向のうちの少なくとも１つを備える。
【０００６】
[0006]本開示の別の態様では、本装置は、基地局から第１の情報を受信することと、第１の情報に基づいて、信号を送信するためのリソースの位置を決定することと、リソースに基づいて、少なくとも１つのビーム送信方向を介して信号を送信することと、信号に応答してユーザ機器（ＵＥ）から第２の情報を受信することと、第２の情報が、接続ポイントとのミリメートル波（ｍｍＷ）リンクを確立するというＵＥの意図、ＵＥのビーム受信方向、またはＵＥによって決定された接続ポイントのビーム送信方向のうちの少なくとも１つを備える、を行う接続ポイントとして実施され得る。
【図面の簡単な説明】
【０００７】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】デバイスツーデバイス通信システムの図。
【図８Ａ】ＬＴＥシステムとともに使用されるｍｍＷシステムの例示的な展開を示す図。
【図８Ｂ】ＬＴＥシステムとともに使用されるｍｍＷシステムの例示的な展開を示す図。
【図８Ｃ】ＬＴＥシステムとともに使用されるｍｍＷシステムの例示的な展開を示す図。
【図９Ａ】接続ポイントとＵＥとの間のビームフォーミングされた信号の送信の一例を示す図。
【図９Ｂ】接続ポイントとＵＥとの間のビームフォーミングされた信号の送信の一例を示す図。
【図１０】ワイヤレス通信の方法のフローチャート。
【図１１】ワイヤレス通信の方法のフローチャート。
【図１２】例示的な装置中の異なるモジュール／手段／構成要素間のデータフローを示すデータフロー図。
【図１３】例示的な装置中の異なるモジュール／手段／構成要素間のデータフローを示すデータフロー図。
【図１４】処理システムを採用する装置のためのハードウェア実装形態の一例を示す図。
【図１５】処理システムを採用する装置のためのハードウェア実装形態の一例を示す図。
【発明を実施するための形態】
【０００８】
[0022]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0023]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１０】
[0024]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0025]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0026]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳテレストリアルらじアクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１３】
[0027]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の
好適な用語で呼ばれることもある。
【００１４】
[0028]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）
と、ｅＭＢＭＳ関係の課金情報を収集することとを担当し得る。
【００１５】
[0029]一態様では、ＵＥ１０２は、ＬＴＥネットワークとミリメートル波（ｍｍＷ）システムとを介して信号を通信することが可能である。したがって、ＵＥ１０２は、ＬＴＥリンク上でｅＮＢ１０６および／または他のｅＮＢ１０８と通信し得る。さらに、ＵＥ１０２は、ｍｍＷリンク上で（ｍｍＷシステム通信が可能な）接続ポイント（ＣＰ：connection point）１３０と通信し得る。
【００１６】
[0030]さらなる態様では、他のｅＮＢ１０８のうちの少なくとも１つは、ＬＴＥネットワークとｍｍＷシステムとを介して信号を通信することが可能であり得る。したがって、ｅＮＢ１０８はＬＴＥ＋ｍｍＷ  ｅＮＢと呼ばれることがある。別の態様では、ＣＰ１３０は、ＬＴＥネットワークとｍｍＷシステムとを介して信号を通信することが可能であり得る。したがって、ＣＰ１３０はＬＴＥ＋ｍｍＷ  ＣＰと呼ばれることがある。ＵＥ１０２は、ＬＴＥリンク上でならびにｍｍＷリンク上で他のｅＮＢ１０８と通信し得る。
【００１７】
[0031]また別の態様では、他のｅＮＢ１０８は、ＬＴＥネットワークとｍｍＷシステムとを介して信号を通信することが可能であり得るが、ＣＰ１３０は、ｍｍＷシステムのみを介して信号を通信することが可能である。したがって、ＬＴＥネットワークを介して他のｅＮＢ１０８にシグナリングすることができないＣＰ１３０は、ｍｍＷバックホールリンク上で他のｅＮＢ１０８と通信し得る。
【００１８】
[0032]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは１つまたは複数の（たとえば、３つの）（セクタとも呼ばれる）セルをサポートし得る。「セル」という用語は、ｅＮＢの最小カバレージエリアを指すことがあり、および／またはｅＮＢサブシステムサービングは特定のカバレージエリアである。さらに、「ｅＮＢ」、「基地局」、および「セル」という用語は、本明細書では互換的に使用されることがある。
【００１９】
[0033]一態様では、ＵＥ２０６は、ＬＴＥネットワークとミリメートル波（ｍｍＷ）システムとを介して信号を通信し得る。したがって、ＵＥ２０６はＬＴＥリンク上でｅＮＢ２０４と通信し、ｍｍＷリンク上で（ｍｍＷシステム通信が可能な）接続ポイント（ＣＰ）２１２と通信し得る。さらなる態様では、ｅＮＢ２０４およびＣＰ２１２は、ＬＴＥネットワークとｍｍＷシステムとを介して信号を通信し得る。したがって、ＵＥ２０６は、（ｅＮＢ２０４がｍｍＷシステム通信が可能であるとき）ＬＴＥリンクとｍｍＷリンクとの上でｅＮＢ２０４と通信するか、または（ＣＰ２１２がＬＴＥネットワーク通信が可能であるとき）ｍｍＷリンクとＬＴＥリンクとの上でＣＰ２１２と通信し得る。また別の態様では、ｅＮＢ２０４はＬＴＥネットワークとｍｍＷシステムとを介して信号を通信するが、ＣＰ２１２はｍｍＷシステムのみを介して信号を通信する。したがって、ＬＴＥネットワークを介してｅＮＢ２０４にシグナリングすることができないＣＰ２１２は、ｍｍＷバックホールリンク上でｅＮＢ２０４と通信し得る。
【００２０】
[0034]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２１】
[0035]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２２】
[0036]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0037]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２４】
[0038]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0039]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続サブキャリアのすべてを単一のＵＥに割り当てることを可能にし得る連続サブキャリアを含むデータセクションを生じる。
【００２６】
[0040]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２７】
[0041]初期システムアクセスを実施し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２８】
[0042]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２９】
[0043]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３０】
[0044]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００３１】
[0045]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００３２】
[0046]図６は、アクセスネットワーク中でＵＥ６５０と通信している基地局６１０のブロック図である。基地局６１０は、たとえば、ＬＴＥシステムのｅＮＢ、ミリメートル波（ｍｍＷ）システムの接続ポイント（ＣＰ）／アクセスポイント／基地局、ＬＴＥシステムとｍｍＷシステムとを介して信号を通信することが可能なｅＮＢ、またはＬＴＥシステムとｍｍＷシステムとを介して信号を通信することが可能な接続ポイント（ＣＰ）／アクセスポイント／基地局であり得る。ＵＥ６５０は、ＬＴＥシステムおよび／またはｍｍＷシステムを介して信号を通信することが可能であり得る。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００３３】
[0047]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相偏移変調（ＢＰＳＫ）、４位相相偏移変調（ＱＰＳＫ）、Ｍ位相相偏移変調（Ｍ−ＰＳＫ）、多値直交振幅変調（Ｍ−ＱＡＭ））に基づく信号コンスタレーションへのマッピングとを可能にするためのコーディングとインターリービングとを含む。コーディングされ変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３４】
[0048]ＵＥ６５０において、各受信機６５４ＲＸは、それのそれぞれのアンテナ６５２を通して信号を受信する。各受信機６５４ＲＸは、ＲＦキャリア上で変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上で基地局６１０によって最初に送信されたデータと制御信号とを復元するために復号され、デインターリーブされる。データおよび制御信号は、次いで、コントローラ／プロセッサ６５９に与えられる。
【００３５】
[0049]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＤＬでは、コントローラ／プロセッサ６５９は、コアネットワークからの上位レイヤパケットを復元するために、トランスポートチャネルと論理チャネルとの間の多重分離と、パケットリアセンブリと、暗号解読（decipher）と、ヘッダ解凍（header decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担う。
【００３６】
[0050]ＵＬでは、データソース６６７は、コントローラ／プロセッサ６５９に上位レイヤパケットを与えるために使用される。データソース６６７は、Ｌ２レイヤの上のすべてのプロトコルレイヤを表す。基地局６１０によるＤＬ送信に関して説明した機能と同様に、コントローラ／プロセッサ６５９は、ヘッダ圧縮と、暗号化と、パケットのセグメンテーションおよび並べ替えと、基地局６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、基地局６１０へのシグナリングとを担う。
【００３７】
[0051]基地局６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３８】
[0052]ＵＬ送信は、ＵＥ６５０における受信機機能に関して説明した方法と同様の方法で基地局６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３９】
[0053]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、暗号解読と、ヘッダ解凍と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするために、ＡＣＫおよび／またはＮＡＣＫプロトコルを使用する誤り検出を担う。
【００４０】
[0054]図７はデバイスツーデバイス通信システム７００の図である。デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス通信において互いに通信し、一部は基地局７０２と通信し、一部は両方を行い得る。たとえば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００４１】
[0055]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置についてＬＴＥのコンテキスト内で説明する。ただし、例示的な方法および装置は様々な他のワイヤレスデバイスツーデバイス通信システムにより一般的に適用可能であることを、当業者は理解されよう。
【００４２】
[0056]ＬＴＥを求めるモチベーションは、モバイルデータ需要のためのセルラーネットワーク帯域幅を増加させることである。モバイルデータ需要が増加するにつれて、その需要を維持するために様々な他の技術が利用され得る。たとえば、高速モバイルデータは、ミリメートル波（ｍｍＷ）チャネルを使用して配信され得る。
【００４３】
[0057]ｍｍＷリンクは、ｍｍＷビームフォーミングが可能な送信機からｍｍＷビームフォーミングが可能な受信機へのベースバンドシンボルの配信として定義され得る。ｍｍＷリソースユニットは、ビーム幅とビーム方向とタイムスロットとの特定の組合せを含み得る。タイムスロットはＬＴＥサブフレームの部分であり、ＬＴＥ物理ダウンリンク制御チャネル（ＰＤＣＣＨ）フレームタイミングと整合され得る。送信機において送信電力を増加させることなしに受信ｍｍＷ信号強度を効果的に増加させるために、ビームフォーミングが適用され得る。送信機と受信機のいずれかまたはその両方のｍｍＷビーム幅を低減することによって、受信機利得が増加され得る。たとえば、ビーム幅は、アンテナアレイに位相シフトを適用することによって変更され得る。
【００４４】
[0058]ｍｍＷ通信システムは超高周波数帯域（たとえば、１０ＧＨｚ〜３００ＧＨｚ）において動作し得る。そのような高キャリア周波数は、大きい帯域幅の使用を可能にする。たとえば、６０ＧＨｚ  ｍｍＷワイヤレスネットワークは約６０ＧＨｚ周波数帯域において大きい帯域幅を与え、（たとえば、６．７Ｇｂｐｓまでの）極めて高いデータレートをサポートする能力を有する。たとえば、超高周波数帯域はバックホール通信のために使用されるか、またはネットワークアクセス（たとえば、ネットワークにアクセスするＵＥ）のために使用され得る。ｍｍＷシステムによってサポートされる適用例は、たとえば、非圧縮ビデオストリーミング、ｓｙｎｃ−ｎ−ｇｏファイル転送、ビデオゲーム、およびワイヤレスディスプレイへの投影を含み得る。
【００４５】
[0059]ｍｍＷシステムが、低利得を有するチャネルを克服するために、いくつかのアンテナとビームフォーミングとの助けをかりて動作し得る。たとえば、高キャリア周波数帯域における大量の減衰は、送信信号の範囲を数メートル（たとえば、１〜３メートル）に制限し得る。また、障害物（たとえば、壁、家具、人間など）の存在は、高周波数ミリメートル波の伝搬を阻止し得る。したがって、高キャリア周波数における伝搬特性は、損失を克服するためにビームフォーミングのニーズを必要とする。ビームフォーミングは、受信デバイスに高周波数信号を特定の方向でビームフォーミングし、したがって、信号の範囲を拡張するために、協働するアンテナのアレイ（たとえば、フェーズドアレイ）を介して実装され得る。ｍｍＷシステムはスタンドアロン様式で動作し得るが、ｍｍＷシステムは、ＬＴＥなど、より確立されているがより低い周波数の（およびより低い帯域幅の）システムとともに実装され得る。
【００４６】
[0060]一態様では、本開示は、ＬＴＥシステムとｍｍＷシステムとの間の協働技法を与える。たとえば、本開示は、基地局のビームフォーミング、同期、または発見を助けるためによりロバストなシステムの存在を活用する。ｍｍＷシステムとより低い周波数システム（たとえば、ＬＴＥ）との間の協働を可能にするために、本開示は、１）異なるより低い周波数ロバストキャリア上で送られ得るｍｍＷチャネル上での発見、同期、または関連付けのためのシグナリングのタイプ、２）ｍｍＷチャネルとより低い周波数キャリア（たとえば、ＬＴＥ）との間の発見および同期シグナリングを送る順序、３）既存の接続性の活用、４）送信されるメッセージ中に接続ポイント（ＣＰ）／ユーザ機器（ＵＥ）によって含まれるべき情報、ならびに５）ＬＴＥシグナリング中に含まれるべき情報を開示する。
【００４７】
[0061]一態様では、ｍｍＷ対応接続ポイント（ＣＰ）（ｍｍＷ対応デバイスのためのネットワークアクセスポイント）は、街灯柱、建築物各面に取り付けられ、および／またはメトロセルとコロケートされ得る。ｍｍＷリンクは、障害物の周りの見通し線（ＬＯＳ：line of sight）または優勢反射経路または回折経路に沿ったビームフォーミングによって形成され得る。ｍｍＷ対応デバイスの課題は、ビームフォーミングのための適切なＬＯＳまたは反射経路を見つけることである。
【００４８】
[0062]図８Ａ〜図８Ｃは、ＬＴＥシステムとともに使用されるｍｍＷシステムの例示的な展開を示す図である。図８Ａにおいて、図８００は、ＬＴＥシステムがｍｍＷシステムとは無関係に、およびｍｍＷシステムと並行して動作する展開を示している。図８Ａに示されているように、ＵＥ８０２は、ＬＴＥシステムとｍｍＷシステムとを介して信号を通信することが可能である。したがって、ＵＥ８０２は、ＬＴＥリンク８１０上でｅＮＢ８０４と通信し得る。ＬＴＥリンク８１０と並行して、ＵＥ８０２はまた、第１のｍｍＷリンク８１２上で第１のＣＰ８０６と通信し、第２のｍｍＷリンク８１４上で第２のＣＰ８０８と通信し得る。
【００４９】
[0063]図８Ｂにおいて、図８３０は、ＬＴＥシステムとｍｍＷシステムとがコロケートされる展開を示している。図８Ｂに示されているように、ＵＥ８３２は、ＬＴＥシステムとｍｍＷシステムとを介して信号を通信することが可能である。一態様では、基地局８３４は、ＬＴＥシステムとｍｍＷシステムとを介して信号を通信することが可能なＬＴＥ  ｅＮＢであり得る。したがって、基地局８３４はＬＴＥ＋ｍｍＷ  ｅＮＢと呼ばれることがある。別の態様では、基地局８３４は、ＬＴＥシステムとｍｍＷシステムとを介して信号を通信することが可能なｍｍＷ  ＣＰであり得る。したがって、基地局８３４はＬＴＥ＋ｍｍＷ  ＣＰと呼ばれることがある。ＵＥ８３２は、ＬＴＥリンク８３６上で基地局８３４と通信し得る。一方、ＵＥ８３２はまた、ｍｍＷリンク８３８上で基地局８３４と通信し得る。
【００５０】
[0064]図８Ｃにおいて、図８７０は、ＬＴＥシステムとｍｍＷシステムとを介して信号を通信することが可能な基地局（ＬＴＥ＋ｍｍＷ基地局）が、ｍｍＷシステムのみを介して信号を通信することが可能なＣＰとともに存在する展開を示している。図８Ｃに示されているように、ＵＥ８７２は、ＬＴＥリンク８８０上でＬＴＥ＋ｍｍＷ基地局８７４と通信し得る。ＬＴＥ＋ｍｍＷ基地局８７４は、ＬＴＥ＋ｍｍＷ  ｅＮＢまたはＬＴＥ＋ｍｍＷ  ＣＰであり得る。ＬＴＥリンク８８０と並行して、ＵＥ８７２はまた、第１のｍｍＷリンク８８２上で第１のＣＰ８７６と通信し、第２のｍｍＷリンク８８４上で第２のＣＰ８７８と通信し得る。第１のＣＰ８７６は、第１のｍｍＷバックホールリンク８８４上でＬＴＥ＋ｍｍＷ基地局８７４とさらに通信し得る。第２のＣＰ８７８は、第２のｍｍＷバックホールリンク８８６上でＬＴＥ＋ｍｍＷ基地局８７４とさらに通信し得る。
【００５１】
[0065]図９Ａおよび図９Ｂは、ＣＰとＵＥとの間のビームフォーミングされた信号の送信の一例を示す図である。図９を参照すると、図９００は、異なる送信方向でビームフォーミングされた信号９０６（たとえば、同期信号または発見信号）を送信するｍｍＷシステムのＣＰ９０４を示している。信号を送信した後に、ＣＰ９０４は受信モードに切り替わり得る。受信モードでは、ＣＰ９０４は、ＣＰ９０４が異なる送信方向で同期／発見信号を前に送信したシーケンスまたはパターンに対応する（マッピングする）シーケンスまたはパターンで異なる受信方向を通してスイープし得る。各ビームフォーミングされた信号上の滞留時間は、ＵＥ９０２が受信（Ｒｘ）スイープを実行することを可能にする。受信モードにあるＵＥ９０２は、同期／発見信号９０６を検出する試みにおいて、異なる受信方向を通してスイープし得る。同期／発見信号９０６のうちの１つまたは複数がＵＥ９０２によって検出され得る。強い同期／発見信号９０６が検出されたとき、ＵＥ９０２は、強い同期／発見信号に対応する、ＣＰ９０４の最適送信方向とＵＥ９０２の最適受信方向とを決定し得る。たとえば、ＵＥ９０２は、強い同期／発見信号９０６の予備アンテナ重み／方向を決定し得、ＣＰ９０４がビームフォーミングされた信号を最適に受信することが予想される時間および／またはリソースをさらに決定し得る。その後、ＵＥ９０２は、ビームフォーミングされた信号を介してＣＰ９０４に対する同期／発見を試み得る。
【００５２】
[0066]図９Ｂを参照すると、ＵＥ９０２は、異なる送信方向でビームフォーミングされた信号９２６（たとえば、同期／発見信号）を送信することによって同期／発見を試み得る。一態様では、ＵＥ９０２は、ＣＰ９０４が同期／発見信号を最適に受信することが予想される時間／リソースにおいて、ＵＥ９０２の最適受信方向に沿って送信することによって同期／発見信号９２６を送信し得る。受信モードにあるＣＰ９０４は、異なる受信方向を通してスイープし、受信方向に対応する１つまたは複数のタイムスロット中にＵＥ９０２からの同期／発見信号９２６を検出し得る。強い同期／発見信号９２６が検出されたとき、ＣＰ９０４は、強い同期／発見信号に対応する、ＵＥ９０２の最適送信方向とＣＰ９０４の最適受信方向とを決定し得る。たとえば、ＣＰ９０４は、強い同期／発見信号９２６の予備アンテナ重み／方向を決定し得、ＵＥ９０２がビームフォーミングされた信号を最適に受信することが予想される時間および／またはリソースをさらに決定し得る。図９Ａおよび図９Ｂに関して上記で説明したプロセスは、ＵＥ９０２とＣＰ９０４とが互いとのリンクを確立するための最適な送信および受信方向を最終的に学習するように、時間とともに改良されるか、または繰り返され得る。
【００５３】
[0067]一態様では、ＣＰ９０４は、いくつかのビームフォーミング方向に従って同期／発見信号を送信するためのシーケンスまたはパターンを選定し得る。ＣＰ９０４は、次いで、同期／発見信号を検出する試みにおいて、ＵＥ９０２がいくつかのビームフォーミング方向を通してスイープするのに十分長い時間の量の間、信号を送信し得る。たとえば、ＣＰビームフォーミング方向はｎによって示され得、ただし、ｎは０からＮまでの整数であり、Ｎは送信方向の最大数である。その上、ＵＥビームフォーミング方向はｋによって示され得、ただし、ｋは０からＫまでの整数であり、Ｋは受信方向の最大数である。ＣＰ９０４からの同期／発見信号を検出すると、ＵＥ９０２は、ＵＥ９０２ビームフォーミング方向がｋ＝２であり、ＣＰ９０４ビームフォーミング方向がｎ＝３であるとき、最も強い同期／発見信号が受信されることを発見し得る。したがって、ＵＥ９０２は、対応する応答タイムスロット中でＣＰ９０４に応答する（ビームフォーミングされた信号を送信する）ために同じアンテナ重み／方向を使用し得る。すなわち、ＵＥ９０２は、ＣＰ９０４がＣＰ９０４ビームフォーミング方向ｎ＝３において受信スイープを実行することが予想されるタイムスロット中にＵＥ９０２ビームフォーミング方向ｋ＝２を使用して、ＣＰ９０４に信号を送り得る。
【００５４】
[0068]一態様では、図９Ａおよび図９Ｂに関して上記で説明した動作は、少なくとも動作の初期段階中にリンクバジェットによって制限され、したがって、ロバストでないことがある。したがって、ＬＴＥなどのより低い周波数システムが、プロセスを加速するために利用され得る。たとえば、ＬＴＥは、タイミング情報（またはオフセット）、ビームフォーミング周期性、および／あるいはデバイス能力を取得するために使用され得る。ＬＴＥシグナリングは、ｍｍＷアクセスシンボルおよびタイミングがＬＴＥフレーム構造にどのように関係するかに関する情報（たとえば、オフセット情報）を与え得る。その上、ＬＴＥチャネルは、肯定応答メッセージ、ビーム探索応答メッセージなどをシグナリングするために使用され得る。一態様では、ｍｍＷシステムが特に信頼できない場合、送信機から受信機に通信されるべきデータビットの大部分は、ＬＴＥチャネル上で送られ得るが、必要なシグネチャ、パイロットなどは、同期および発見を支援するためにｍｍＷチャネル上で送られ得る。
【００５５】
[0069]図１０は、ワイヤレス通信の方法のフローチャート１０００である。本方法は、より低い周波数チャネルを介して（たとえば、ＬＴＥシステムを介して）、およびより高い周波数チャネルを介して（たとえば、ｍｍＷシステムを介して）信号を通信することが可能なＵＥによって実行され得る。ステップ１００２において、ＵＥは基地局から第１の情報を受信する。一態様では、ＵＥは、ＬＴＥシステムのｅＮＢから低周波数チャネルを介して第１の情報を受信する。さらなる態様では、第１の情報は、接続ポイントのビーム送信方向とビーム受信方向との順序に関係する情報、または送信および受信についての接続ポイントの能力に関係する情報を含み得る。
【００５６】
[0070]ステップ１００４において、ＵＥは、第１の情報に基づいて、接続ポイントから送信された信号（たとえば、同期／発見信号）を受信するためのリソースの位置を決定する。一態様では、信号は、高周波数チャネルを介して（ｍｍＷシステムを介して）接続ポイントから送信される。したがって、第１の情報は、高周波数チャネルを介して接続ポイントから信号を受信するためのタイミング情報を含み得る。タイミング情報は、ＬＴＥシステムタイミングに対するオフセットを含み得る。さらなる態様では、信号は、低周波数チャネルを介して接続ポイントと通信するためのタイミング情報と、高周波数チャネルを介して接続ポイントと通信するためのタイミング情報とを含み得る。
【００５７】
[0071]ステップ１００６において、ＵＥは、リソースに基づいて、少なくとも１つのビーム受信方向を介して信号を検出する。ステップ１００８において、ＵＥは、信号に基づいて、接続ポイントのビーム送信方向とＵＥのビーム受信方向とを決定する。ステップ１０１０において、ＵＥは、接続ポイントのビーム送信方向に基づいて、接続ポイントのビーム受信方向を識別する。
【００５８】
[0072]ステップ１０１２において、ＵＥは、接続ポイントのビーム受信方向に基づいて、接続ポイントに第２の情報を与える。第２の情報は、接続ポイントとのミリメートル波（ｍｍＷ）リンクを確立するという意図、ＵＥのビーム受信方向、接続ポイントのビーム送信方向、リンク品質（たとえば、受信信号強度インジケータ（ＲＳＳＩ：received signal strength indicator）または信号対干渉プラス雑音比（ＳＩＮＲ：signal-to-interference-plus-noise ratio））を示すビーム応答、および／あるいはＵＥの能力を示す情報を含み得る。一態様では、第２の情報は、低周波数チャネルおよび／または高周波数チャネルを介して接続ポイントに与えられる。したがって、第１の情報は、低周波数チャネルを介して接続ポイントに第２の情報を与えるための周波数情報を含み得る。
【００５９】
[0073]ステップ１０１４において、ＵＥは、第２の情報に基づいて、接続ポイントとのｍｍＷリンクを確立する。その後、ステップ１０１６において、ＵＥは、確立されたｍｍＷリンク上で接続ポイントとデータを通信する。
【００６０】
[0074]図１１は、ワイヤレス通信の方法のフローチャート１１００である。本方法は、より低い周波数チャネルを介して（たとえば、ＬＴＥシステムを介して）、およびより高い周波数チャネルを介して（たとえば、ｍｍＷシステムを介して）信号を通信することが可能な接続ポイントによって実行され得る。ステップ１１０２において、接続ポイントは基地局から第１の情報を受信する。一態様では、接続ポイントは、ＬＴＥシステムのｅＮＢから低周波数チャネルを介して第１の情報を受信する。第１の情報は、ユーザ機器（ＵＥ）のビーム送信方向とビーム受信方向との順序に関係する情報、または送信および受信についてのＵＥの能力に関係する情報を含み得る。
【００６１】
[0075]ステップ１１０４において、接続ポイントは、第１の情報に基づいて、信号（たとえば、同期／発見信号）を送信するためのリソースの位置を決定する。一態様では、信号は、高周波数チャネルを介して（ｍｍＷシステムを介して）送信される。したがって、第１の情報は、高周波数チャネルを介して信号を送信するためのタイミング情報を含み得る。タイミング情報は、ＬＴＥシステムタイミングに対するオフセットを含み得る。さらなる態様では、信号は、低周波数チャネルを介して接続ポイントと通信するためのタイミング情報と、高周波数チャネルを介して接続ポイントと通信するためのタイミング情報とを含み得る。
【００６２】
[0076]ステップ１１０６において、接続ポイントは、リソースに基づいて、少なくとも１つのビーム送信方向を介して信号を送信する。ステップ１１０８において、接続ポイントは、信号に応答してＵＥから第２の情報を受信する。第２の情報は、接続ポイントとのミリメートル波（ｍｍＷ）リンクを確立するというＵＥの意図、ＵＥのビーム受信方向、ＵＥによって決定された接続ポイントのビーム送信方向、リンク品質（たとえば、受信信号強度インジケータ（ＲＳＳＩ）または信号対干渉プラス雑音比（ＳＩＮＲ））を示すビーム応答、および／あるいはＵＥの能力を示す情報を含み得る。
【００６３】
[0077]一態様では、第２の情報は、低周波数チャネルおよび／または高周波数チャネルを介してＵＥから受信され得る。したがって、第１の情報は、低周波数チャネルを介してＵＥから第２の情報を受信するための周波数情報を含み得る。さらなる態様では、第２の情報は、信号のビーム送信方向に基づく方向に沿ってＵＥから受信される。
【００６４】
[0078]ステップ１１１０において、接続ポイントは、第２の情報に基づいて、ＵＥとのｍｍＷリンクを確立する。その後、接続ポイントは、確立されたｍｍＷリンク上でＵＥとデータを通信する。
【００６５】
[0079]図１２は、より低い周波数チャネルを介して（たとえば、ＬＴＥシステムを介して）、およびより高い周波数チャネルを介して（たとえば、ｍｍＷシステムを介して）信号を通信することが可能な例示的な装置１２０２（たとえば、ＵＥ）中の異なるモジュール／手段／構成要素間のデータフローを示す概念データフロー図１２００である。本装置は、受信モジュール１２０４と、情報処理モジュール１２０６と、リソース決定モジュール１２０８と、信号処理モジュール１２１０と、ビーム方向決定モジュール１２１２と、ｍｍＷリンクモジュール１２１４と、送信モジュール１２１６とを含む。
【００６６】
[0080]情報処理モジュール１２０６は、（受信モジュール１２０４を介して）基地局１２７０から第１の情報を受信する。一態様では、情報処理モジュール１２０６は、ＬＴＥシステムのｅＮＢから低周波数チャネルを介して第１の情報を受信する。さらなる態様では、第１の情報は、接続ポイント１２５０のビーム送信方向とビーム受信方向との順序に関係する情報、または送信および受信についての接続ポイント１２５０の能力に関係する情報を含み得る。
【００６７】
[0081]リソース決定モジュール１２０８は、第１の情報に基づいて、接続ポイント１２５０から送信された信号（たとえば、同期／発見信号）を受信するためのリソースの位置を決定する。一態様では、信号は、高周波数チャネルを介して（ｍｍＷシステムを介して）接続ポイント１２５０から送信される。したがって、第１の情報は、高周波数チャネルを介して接続ポイント１２５０から信号を受信するためのタイミング情報を含み得る。タイミング情報は、ＬＴＥシステムタイミングに対するオフセットを含み得る。さらなる態様では、信号は、低周波数チャネルを介して接続ポイント１２５０と通信するためのタイミング情報と、高周波数チャネルを介して接続ポイント１２５０と通信するためのタイミング情報とを含み得る。
【００６８】
[0082]信号処理モジュールは、リソースに基づいてビーム方向決定モジュール１２１２によって決定された少なくとも１つのビーム受信方向を介して信号を（受信モジュール１２０４を介して）検出する。ビーム方向決定モジュール１２１２は、信号に基づいて、接続ポイント１２５０のビーム送信方向と装置１２０２のビーム受信方向とを決定する。ビーム方向決定モジュール１２１２はまた、接続ポイント１２５０のビーム送信方向に基づいて、接続ポイント１２５０のビーム受信方向を識別する。
【００６９】
[0083]情報処理モジュール１２０６は、接続ポイント１２５０のビーム受信方向に基づいて、（送信モジュール１２１６を介して）接続ポイント１２５０に第２の情報を与える。第２の情報は、接続ポイント１２５０とのミリメートル波（ｍｍＷ）リンクを確立するという意図、装置１２０２のビーム受信方向、接続ポイント１２５０のビーム送信方向、リンク品質（たとえば、受信信号強度インジケータ（ＲＳＳＩ）または信号対干渉プラス雑音比（ＳＩＮＲ））を示すビーム応答、および／あるいは装置１２０２の能力を示す情報を含み得る。一態様では、第２の情報は、低周波数チャネルおよび／または高周波数チャネルを介して接続ポイント１２５０に与えられる。したがって、第１の情報は、低周波数チャネルを介して接続ポイント１２５０に第２の情報を与えるための周波数情報を含み得る。
【００７０】
[0084]ｍｍＷリンクモジュール１２１４は、第２の情報に基づいて、接続ポイント１２５０とのｍｍＷリンクを確立する。その後、情報処理モジュール１２０６および／またはｍｍＷリンクモジュール１２１４は、確立されたｍｍＷリンク上で（送信モジュール１２１６を介して）接続ポイント１２５０とデータを通信する。
【００７１】
[0085]本装置は、図１０の上述のフローチャート中に示されているステップの各々を実行する追加のモジュールを含み得る。したがって、図１０の上述のフローチャート中の各ステップは１つのモジュールによって実行され得、本装置は、それらのモジュールのうちの１つまたは複数を含み得る。モジュールは、述べられたプロセスを行うように特に構成された１つまたは複数のハードウェア構成要素であるか、述べられたプロセスを実行するように構成されたプロセッサによって実装されるか、プロセッサによる実装のためにコンピュータ可読媒体内に記憶されるか、またはそれらの何らかの組合せであり得る。
【００７２】
[0086]図１３は、より低い周波数チャネルを介して（たとえば、ＬＴＥシステムを介して）、およびより高い周波数チャネルを介して（たとえば、ｍｍＷシステムを介して）信号を通信することが可能な例示的な装置１３０２（たとえば、接続ポイント）中の異なるモジュール／手段／構成要素間のデータフローを示す概念データフロー図１３００である。本装置は、受信モジュール１３０４と、情報処理モジュール１３０６と、リソース決定モジュール１３０８と、信号処理モジュール１３１０と、ビーム方向決定モジュール１３１２と、ｍｍＷリンクモジュール１３１４と、送信モジュール１３１６とを含む。
【００７３】
[0087]情報処理モジュール１３０６は、（受信モジュール１３０４を介して）基地局１３７０から第１の情報を受信する。一態様では、情報処理モジュール１３０６は、ＬＴＥシステムのｅＮＢから低周波数チャネルを介して第１の情報を受信する。第１の情報は、ユーザ機器（ＵＥ）１３５０のビーム送信方向とビーム受信方向との順序に関係する情報、または送信および受信についてのＵＥ１３５０の能力に関係する情報を含み得る。
【００７４】
[0088]リソース決定モジュール１３０８は、第１の情報に基づいて、信号（たとえば、同期／発見信号）を送信するためのリソースの位置を決定する。一態様では、信号は、高周波数チャネルを介して（ｍｍＷシステムを介して）送信される。したがって、第１の情報は、高周波数チャネルを介して信号を送信するためのタイミング情報を含み得る。タイミング情報は、ＬＴＥシステムタイミングに対するオフセットを含み得る。さらなる態様では、信号は、低周波数チャネルを介して装置１３０２と通信するためのタイミング情報と、高周波数チャネルを介して装置１３０２と通信するためのタイミング情報とを含み得る。
【００７５】
[0089]信号処理モジュール１３１０は、リソースに基づいて、ビーム方向決定モジュール１３１２によって決定された少なくとも１つのビーム送信方向を介して信号を（送信モジュール１３１０を介して）送信する。情報処理モジュールは、信号に応答して（受信モジュール１３０４を介して）ＵＥ１３５０から第２の情報を受信する。第２の情報は、装置１３０２とのミリメートル波（ｍｍＷ）リンクを確立するというＵＥ１３５０の意図、ＵＥ１３５０のビーム受信方向、ＵＥ１３５０によって決定された装置１３０２のビーム送信方向、リンク品質（たとえば、受信信号強度インジケータ（ＲＳＳＩ）または信号対干渉プラス雑音比（ＳＩＮＲ））を示すビーム応答、あるいはＵＥ１３５０の能力を示す情報を含み得る。
【００７６】
[0090]一態様では、第２の情報は、低周波数チャネルおよび／または高周波数チャネルを介してＵＥ１３５０から受信され得る。したがって、第１の情報は、低周波数チャネルを介してＵＥ１３５０から第２の情報を受信するための周波数情報を含み得る。さらなる態様では、第２の情報は、信号のビーム送信方向に基づく方向に沿ってＵＥ１３５０から受信される。
【００７７】
[0091]ｍｍＷリンクモジュール１３１４は、第２の情報に基づいて、ＵＥ１３５０とのｍｍＷリンクを確立する。その後、情報処理モジュール１３０６および／またはｍｍＷリンクモジュール１３１４は、確立されたｍｍＷリンク上で（送信モジュール１３１６を介して）ＵＥ１３５０とデータを通信する。
【００７８】
[0092]本装置は、図１１の上述のフローチャート中に示されているステップの各々を実行する追加のモジュールを含み得る。したがって、図１１の上述のフローチャート中の各ステップは１つのモジュールによって実行され得、本装置は、それらのモジュールのうちの１つまたは複数を含み得る。モジュールは、述べられたプロセスを行うように特に構成された１つまたは複数のハードウェア構成要素であるか、述べられたプロセスを実行するように構成されたプロセッサによって実装されるか、プロセッサによる実装のためにコンピュータ可読媒体内に記憶されるか、またはそれらの何らかの組合せであり得る。
【００７９】
[0093]図１４は、処理システム１４１４を採用する装置１２０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１２０４、１２０６、１２０８、１２１０、１２１２、１２１４、１２１６と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらの回路は当技術分野において周知であり、したがって、これ以上説明しない。
【００８０】
[0094]処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信モジュール１２０４に与える。さらに、トランシーバ１４１０は、処理システム１４１４、特に送信モジュール１２１６から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担う。ソフトウェアは、プロセッサ１４０４によって実行されたとき、処理システム１４１４に、特定の装置のための上記で説明した様々な機能を実行させる。コンピュータ可読媒体／メモリ１４０６はまた、ソフトウェアを実行するときにプロセッサ１４０４によって操作されるデータを記憶するために使用され得る。処理システムは、モジュール１２０４、１２０６、１２０８、１２１０、１２１２、１２１４、および１２１６のうちの少なくとも１つをさらに含む。それらのモジュールは、プロセッサ１４０４中で動作するか、コンピュータ可読媒体／メモリ１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８１】
[0095]一構成では、ワイヤレス通信のための装置１２０２／１２０２’は、基地局から第１の情報を受信するための手段と、第１の情報に基づいて、接続ポイントから送信された信号を受信するためのリソースの位置を決定するための手段と、リソースに基づいて、少なくとも１つのビーム受信方向を介して信号を検出するための手段と、信号に基づいて、接続ポイントのビーム送信方向とＵＥのビーム受信方向とを決定するための手段と、接続ポイントのビーム送信方向に基づいて、接続ポイントのビーム受信方向を識別するための手段と、接続ポイントのビーム受信方向に基づいて、接続ポイントに第２の情報を与えるための手段と、第２の情報が、接続ポイントとのミリメートル波（ｍｍＷ）リンクを確立するという意図、ＵＥのビーム受信方向、接続ポイントのビーム送信方向、リンク品質（たとえば、受信信号強度インジケータ（ＲＳＳＩ）または信号対干渉プラス雑音比（ＳＩＮＲ））を示すビーム応答、あるいはＵＥの能力を示す情報のうちの少なくとも１つを備える、第２の情報に基づいて、接続ポイントとのｍｍＷリンクを確立するための手段と、確立されたｍｍＷリンク上で接続ポイントとデータを通信するための手段とを含む。
【００８２】
[0096]上述の手段は、上述の手段によって具陳された機能を実行するように構成された、装置１２０２、および／または装置１２０２’の処理システム１４１４の上述のモジュールのうちの１つまたは複数であり得る。上記で説明したように、処理システム１４１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【００８３】
[0097]図１５は、処理システム１５１４を採用する装置１３０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１３０４、１３０６、１３０８、１３１０、１３１２、１３１４、１３１６と、コンピュータ可読媒体／メモリ１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0098]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信モジュール１３０４に与える。さらに、トランシーバ１５１０は、処理システム１５１４、特に送信モジュール１３１６から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担う。ソフトウェアは、プロセッサ１５０４によって実行されたとき、処理システム１５１４に、特定の装置のための上記で説明した様々な機能を実行させる。コンピュータ可読媒体／メモリ１５０６はまた、ソフトウェアを実行するときにプロセッサ１５０４によって操作されるデータを記憶するために使用され得る。処理システムは、モジュール１３０４、１３０６、１３０８、１３１０、１３１２、１３１４、および１３１６のうちの少なくとも１つをさらに含む。それらのモジュールは、プロセッサ１５０４中で動作するか、コンピュータ可読媒体／メモリ１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、基地局６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００８５】
[0099]一構成では、ワイヤレス通信のための装置１３０２／１３０２’は、基地局から第１の情報を受信するための手段と、第１の情報に基づいて、信号を送信するためのリソースの位置を決定するための手段と、リソースに基づいて、少なくとも１つのビーム送信方向を介して信号を送信するための手段と、信号に応答してユーザ機器（ＵＥ）から第２の情報を受信するための手段と、第２の情報が、接続ポイントとのミリメートル波（ｍｍＷ）リンクを確立するというＵＥの意図、ＵＥのビーム受信方向、ＵＥによって決定された接続ポイントのビーム送信方向、リンク品質（たとえば、受信信号強度インジケータ（ＲＳＳＩ）または信号対干渉プラス雑音比（ＳＩＮＲ））を示すビーム応答、あるいはＵＥの能力を示す情報のうちの少なくとも１つを備える、第２の情報に基づいて、ＵＥとのｍｍＷリンクを確立するための手段と、確立されたｍｍＷリンク上でＵＥとデータを通信するための手段とを含む。
【００８６】
[00100]上述の手段は、上述の手段によって具陳された機能を実行するように構成された、装置１３０２、および／または装置１３０２’の処理システム１５１４の上述のモジュールのうちの１つまたは複数であり得る。上記で説明したように、処理システム１５１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【００８７】
[00101]開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示した特定の順序または階層に限定されるものではない。
【００８８】
[00102]以上の説明は、当業者が本明細書で説明した様々な態様を実施することができるように与えられた。これらの態様に対する様々な変更は当業者には容易に明らかであり、本明細書で定義した一般原理は他の態様に適用され得る。したがって、特許請求の範囲は、本明細書に示した態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
ユーザ機器（ＵＥ）のワイヤレス通信の方法であって、
基地局から第１の情報を受信することと、
前記第１の情報に基づいて、接続ポイントから送信された信号を受信するためのリソースの位置を決定することと、
前記リソースに基づいて、少なくとも１つのビーム受信方向を介して前記信号を検出することと、
前記信号に基づいて、前記接続ポイントのビーム送信方向と前記ＵＥのビーム受信方向とを決定することと、
前記接続ポイントの前記ビーム送信方向に基づいて、前記接続ポイントのビーム受信方向を識別することと、
前記接続ポイントの前記ビーム受信方向に基づいて、前記接続ポイントに第２の情報を与えること、前記第２の情報は、
前記接続ポイントとのミリメートル波（ｍｍＷ）リンクを確立するという意図、
前記ＵＥの前記ビーム受信方向、または
前記接続ポイントの前記ビーム送信方向
のうちの少なくとも１つを備える、と
を備える、方法。
［Ｃ２］
前記第２の情報に基づいて、前記接続ポイントとの前記ｍｍＷリンクを確立することと、
前記確立されたｍｍＷリンク上で前記接続ポイントとデータを通信することと
をさらに備える、Ｃ１に記載の方法。
［Ｃ３］
前記基地局からの前記第１の情報は、低周波数チャネルを介して受信され、
前記信号は、高周波数チャネルを介して前記接続ポイントから送信される、
Ｃ１に記載の方法。
［Ｃ４］
前記第１の情報は、前記高周波数チャネルを介して前記接続ポイントから前記信号を受信するためのタイミング情報を備える、
Ｃ３に記載の方法。
［Ｃ５］
前記タイミング情報は、ロングタームエボリューション（ＬＴＥ）システムタイミングに対するオフセットを備える、
Ｃ４に記載の方法。
［Ｃ６］
前記第２の情報は、低周波数チャネルまたは高周波数チャネルのうちの少なくとも１つを介して前記接続ポイントに与えられ、
前記第１の情報は、前記低周波数チャネルを介して前記接続ポイントに前記第２の情報を与えるための周波数情報を備える、
Ｃ１に記載の方法。
［Ｃ７］
前記信号は、
低周波数チャネルを介して前記接続ポイントと通信するためのタイミング情報と、
高周波数チャネルを介して前記接続ポイントと通信するためのタイミング情報と
を備える、Ｃ１に記載の方法。
［Ｃ８］
前記第１の情報は、
前記接続ポイントの前記ビーム送信方向と前記ビーム受信方向との順序に関係する情報、または
送信および受信についての前記接続ポイントの能力に関係する情報
を備える、Ｃ１に記載の方法。
［Ｃ９］
前記第２の情報は、
リンク品質を示すビーム応答、または
ＵＥ能力情報
のうちの少なくとも１つをさらに備える、Ｃ１に記載の方法。
［Ｃ１０］
接続ポイントのワイヤレス通信の方法であって、
基地局から第１の情報を受信することと、
前記第１の情報に基づいて、信号を送信するためのリソースの位置を決定することと、
前記リソースに基づいて、少なくとも１つのビーム送信方向を介して前記信号を送信することと、
前記信号に応答してユーザ機器（ＵＥ）から第２の情報を受信すること、前記第２の情報は、
前記接続ポイントとのミリメートル波（ｍｍＷ）リンクを確立するという前記ＵＥの意図、
前記ＵＥのビーム受信方向、または
前記ＵＥによって決定された前記接続ポイントのビーム送信方向
のうちの少なくとも１つを備える、と
を備える、方法。
［Ｃ１１］
前記第２の情報に基づいて、前記ＵＥとの前記ｍｍＷリンクを確立することと、
前記確立されたｍｍＷリンク上で前記ＵＥとデータを通信することと
をさらに備える、Ｃ１０に記載の方法。
［Ｃ１２］
前記基地局からの前記第１の情報は、低周波数チャネルを介して受信され、
前記信号は、高周波数チャネルを介して送信される、
Ｃ１０に記載の方法。
［Ｃ１３］
前記第１の情報は、前記高周波数チャネルを介して前記信号を送信するためのタイミング情報を備える、
Ｃ１２に記載の方法。
［Ｃ１４］
前記タイミング情報は、ロングタームエボリューション（ＬＴＥ）システムタイミングに対するオフセットを備える、
Ｃ１３に記載の方法。
［Ｃ１５］
前記第２の情報は、低周波数チャネルまたは高周波数チャネルのうちの少なくとも１つを介して前記ＵＥから受信され、
前記第１の情報は、前記低周波数チャネルを介して前記ＵＥから前記第２の情報を受信するための周波数情報を備える、
Ｃ１０に記載の方法。
［Ｃ１６］
前記信号は、
低周波数チャネルを介して前記接続ポイントと通信するためのタイミング情報と、
高周波数チャネルを介して前記接続ポイントと通信するためのタイミング情報と
を備える、Ｃ１０に記載の方法。
［Ｃ１７］
前記第２の情報は、前記信号のビーム送信方向に基づく方向に沿って前記ＵＥから受信される、
Ｃ１０に記載の方法。
［Ｃ１８］
前記第１の情報は、
前記ＵＥのビーム送信方向と前記ビーム受信方向との順序に関係する情報、または
送信および受信についての前記ＵＥの能力に関係する情報
を備える、Ｃ１０に記載の方法。
［Ｃ１９］
前記第２の情報は、
リンク品質を示すビーム応答、または
ＵＥ能力情報
のうちの少なくとも１つをさらに備える、Ｃ１０に記載の方法。
［Ｃ２０］
ワイヤレス通信のためのユーザ機器（ＵＥ）であって、
基地局から第１の情報を受信するための手段と、
前記第１の情報に基づいて、接続ポイントから送信された信号を受信するためのリソースの位置を決定するための手段と、
前記リソースに基づいて、少なくとも１つのビーム受信方向を介して前記信号を検出するための手段と、
前記信号に基づいて、前記接続ポイントのビーム送信方向と前記ＵＥのビーム受信方向とを決定するための手段と、
前記接続ポイントの前記ビーム送信方向に基づいて、前記接続ポイントのビーム受信方向を識別するための手段と、
前記接続ポイントの前記ビーム受信方向に基づいて、前記接続ポイントに第２の情報を与えるための手段、前記第２の情報は、
前記接続ポイントとのミリメートル波（ｍｍＷ）リンクを確立するという意図、
前記ＵＥの前記ビーム受信方向、
前記接続ポイントの前記ビーム送信方向、
リンク品質を示すビーム応答、または
ＵＥ能力情報のうちの少なくとも１つを備える、と、
前記第２の情報に基づいて、前記接続ポイントとの前記ｍｍＷリンクを確立するための手段と、
前記確立されたｍｍＷリンク上で前記接続ポイントとデータを通信するための手段と
を備える、ＵＥ。
［Ｃ２１］
前記基地局からの前記第１の情報は、低周波数チャネルを介して受信され、
前記信号は、高周波数チャネルを介して前記接続ポイントから送信され、
前記第１の情報は、前記高周波数チャネルを介して前記接続ポイントから前記信号を受信するためのタイミング情報を備え、
前記タイミング情報は、ロングタームエボリューション（ＬＴＥ）システムタイミングに対するオフセットを備える、
Ｃ２０に記載のＵＥ。
［Ｃ２２］
前記第２の情報は、低周波数チャネルまたは高周波数チャネルのうちの少なくとも１つを介して前記接続ポイントに与えられ、
前記第１の情報は、前記低周波数チャネルを介して前記接続ポイントに前記第２の情報を与えるための周波数情報を備える、
Ｃ２０に記載のＵＥ。
［Ｃ２３］
前記信号は、
低周波数チャネルを介して前記接続ポイントと通信するためのタイミング情報と、
高周波数チャネルを介して前記接続ポイントと通信するためのタイミング情報と
を備える、Ｃ２０に記載のＵＥ。
［Ｃ２４］
前記第１の情報は、
前記接続ポイントの前記ビーム送信方向と前記ビーム受信方向との順序に関係する情報、または
送信および受信についての前記接続ポイントの能力に関係する情報
を備える、Ｃ２０に記載のＵＥ。
［Ｃ２５］
ワイヤレス通信のための接続ポイントであって、
基地局から第１の情報を受信するための手段と、
前記第１の情報に基づいて、信号を送信するためのリソースの位置を決定するための手段と、
前記リソースに基づいて、少なくとも１つのビーム送信方向を介して前記信号を送信するための手段と、
前記信号に応答してユーザ機器（ＵＥ）から第２の情報を受信するための手段、前記第２の情報は、
前記接続ポイントとのミリメートル波（ｍｍＷ）リンクを確立するという前記ＵＥの意図、
前記ＵＥのビーム受信方向、
前記ＵＥによって決定された前記接続ポイントのビーム送信方向、
リンク品質を示すビーム応答、または
ＵＥ能力情報のうちの少なくとも１つを備える、と、
前記第２の情報に基づいて、前記ＵＥとの前記ｍｍＷリンクを確立するための手段と、
前記確立されたｍｍＷリンク上で前記ＵＥとデータを通信するための手段と
を備える、接続ポイント。
［Ｃ２６］
前記基地局からの前記第１の情報は、低周波数チャネルを介して受信され、
前記信号は、高周波数チャネルを介して送信され、
前記第１の情報は、前記高周波数チャネルを介して前記信号を送信するためのタイミング情報を備え、
前記タイミング情報が、ロングタームエボリューション（ＬＴＥ）システムタイミングに対するオフセットを備える、
Ｃ２５に記載の接続ポイント。
［Ｃ２７］
前記第２の情報は、低周波数チャネルまたは高周波数チャネルのうちの少なくとも１つを介して前記ＵＥから受信され、
前記第１の情報は、前記低周波数チャネルを介して前記ＵＥから前記第２の情報を受信するための周波数情報を備える、
Ｃ２５に記載の接続ポイント。
［Ｃ２８］
前記信号は、
低周波数チャネルを介して前記接続ポイントと通信するためのタイミング情報と、
高周波数チャネルを介して前記接続ポイントと通信するためのタイミング情報と
を備える、Ｃ２５に記載の接続ポイント。
［Ｃ２９］
前記第２の情報は、前記信号のビーム送信方向に基づく方向に沿って前記ＵＥから受信される、
Ｃ２５に記載の接続ポイント。
［Ｃ３０］
前記第１の情報は、
前記ＵＥのビーム送信方向と前記ビーム受信方向との順序に関係する情報、または
送信および受信についての前記ＵＥの能力に関係する情報
を備える、Ｃ２５に記載の接続ポイント。
【図１】
0006538080.tif 000002
【図２】
0006538080.tif 000003
【図３】
0006538080.tif 000004
【図４】
0006538080.tif 000005
【図５】
0006538080.tif 000006
【図６】
0006538080.tif 000007
【図７】
0006538080.tif 000008
【図８Ａ】
0006538080.tif 000009
【図８Ｂ】
0006538080.tif 000010
【図８Ｃ】
0006538080.tif 000011
【図９Ａ】
0006538080.tif 000012
【図９Ｂ】
0006538080.tif 000013
【図１０】
0006538080.tif 000014
【図１１】
0006538080.tif 000015
【図１２】
0006538080.tif 000016
【図１３】
0006538080.tif 000017
【図１４】
0006538080.tif 000018
【図１５】
0006538080.tif 000019